(57)【要約】【課題】海中を浮遊しているナマコの幼生が着生しやすく、且つ幼生から成長した稚ナマコの安全な棲息場となると共に、耐久性と強度に優れメンテナンスが容易なナマコ増殖礁を提供する。【解決手段】海中を浮遊しているナマコの幼生を捕捉して育成するナマコ増殖礁１０であって、有底筒状体からなり、内部空間に石Ｓが積み付けられた下部構造体１４と、柱１２及び梁１３から構成される骨組構造からなり、下部構造体１４上に配置された上部構造体１１と、下部構造体１４の周壁１５並びに上部構造体１１の側面及び天面に設けられた開口２０、２１、２２をそれぞれ覆うグレーチング１７、１８、１９とを備え、上部構造体１１の側面に取り付けられたグレーチング１８が、海中を浮遊しているナマコの幼生を捕捉する幼生捕捉部とされ、内部空間に石Ｓが積み付けられた下部構造体１４が、幼生から稚ナマコに成長したナマコを育成する稚ナマコ育成部とされている。【選択図】図２
2014036624.tif 000002
【特許請求の範囲】
【請求項１】
海中を浮遊しているナマコの幼生を捕捉して育成するナマコ増殖礁であって、
有底筒状体からなり、内部空間に石が積み付けられた下部構造体と、
柱及び梁から構成される骨組構造からなり、前記下部構造体上に配置された上部構造体と、
前記下部構造体の周壁並びに前記上部構造体の側面及び天面に設けられた開口をそれぞれ覆うグレーチングとを備え、
前記上部構造体の側面に取り付けられた前記グレーチングが、海中を浮遊しているナマコの幼生を捕捉する幼生捕捉部とされ、前記石が積み付けられた前記下部構造体が、幼生から稚ナマコに成長した前記ナマコを育成する稚ナマコ育成部とされていることを特徴とするナマコ増殖礁。
【請求項２】
請求項１記載のナマコ増殖礁において、前記グレーチングを構成する枡目の開口幅が２０ｍｍ以上１００ｍｍ以下とされ、前記枡目の奥行長さが２５ｍｍ以上１００ｍｍ以下とされていることを特徴とするナマコ増殖礁。
【請求項３】
請求項１又は２記載のナマコ増殖礁において、前記グレーチングはＦＲＰ製であることを特徴とするナマコ増殖礁。
【発明の詳細な説明】
【技術分野】
【０００１】
本発明は、海中を浮遊しているナマコの幼生を捕捉して育成するナマコ増殖礁に関する。
【背景技術】
【０００２】
近年、中国では、急速な経済発展によって富裕層が増加し、高級食材である乾燥ナマコの需要が拡大している。これに伴い、日本から中国に向けて輸出されるナマコ製品が急増している。しかし、ナマコの乱獲が進むと、ナマコ資源が枯渇してナマコの安定供給ができなくなるだけでなく、海洋生物の多様性保全にも悪影響を及ぼすおそれがある。そこで、ナマコ資源の回復を図るための方策として増殖や養殖などが行われている。
【０００３】
増殖は、天然水域において漁業資源が減少してきた際に、これを回復し、あるいはより積極的に天然資源を増大・維持する手段と技法を指し（非特許文献１参照）、ナマコの場合、人工種苗や天然採苗などが行われている。
【０００４】
ナマコの人工種苗では、親ナマコから採取した卵と精子とを混ぜ合わせて受精させ、孵化した幼生を回収して幼生飼育を行い、稚ナマコに成長すると中間育成が行われる。体長が１５〜２０ｍｍ程度に成長した稚ナマコは、水深１０ｍ以浅の岩礁帯や転石帯に潜水放流される。
マナマコの採卵は、昇温刺激による産卵誘発が一般的に行われているが、誘発率は必ずしも高くなく、マナマコは外観から雌雄や成熟度がわからないため、産卵誘発には多数の個体を準備する必要がある。そこで、特許文献１では、ナマコ放卵・放精誘起剤及びそれを用いたナマコの生産方法の発明が開示されている。特許文献１によれば、産卵期のナマコを用いて任意の時期に確実に放卵・放精を起こさせることが可能となるため、種苗生産現場での計画的で効率的な受精卵の生産が可能になるとしている。
【０００５】
また、ナマコの天然採苗では、牡蠣などの貝殻や石材等を篭に入れて海中に垂下することにより、殻や石の間にナマコの幼生を着生させる方法が従来より行われている。最近では、枝を付けたままの孟宗竹を上下逆さまにして干潟に立て、その周囲に建材ブロックを配置してナマコを増殖する方法が試みられている。この方法によれば、竹の枝で渦流が発生してナマコの幼生が着生しやすくなると共に、その消波効果によって着生したナマコの流出を防止することができる。
【０００６】
一方、養殖は、一定区域を占有して、その区域内で自己所有の魚介類や藻類などの生活と環境を管理し、それら生物の繁殖や成長を図り、目的とする大きさ（商品サイズ）まで育成する方法である（非特許文献１参照）。例えば特許文献２では、養殖槽本体の底部に配置されたナマコ収納用の格子枠の上方にバッフルが配置され、養殖槽本体の側壁に設けられた通水窓に側部網が張設されると共に、養殖槽本体の頂部開口に頂部網が張設されたナマコ養殖施設が開示されている。
【先行技術文献】
【特許文献】
【０００７】
【特許文献１】特開２０１０−５３０４１号公報
【特許文献２】実開昭６４−４３６６６号公報
【非特許文献】
【０００８】
【非特許文献１】竹内俊郎他，「水産海洋ハンドブック」，生物研究社，２００４年
【発明の概要】
【発明が解決しようとする課題】
【０００９】
しかしながら、上述した従来の方法によるナマコ資源の回復には以下のような問題がある。
即ち、ナマコの人工種苗は、初期育成中の生残率が低いことに加え、個体によって成長のバラツキが大きいという問題がある。
また、従来の天然採苗の場合、餌となる緑藻などが貝殻等の隙間に少ないためなのか、稚ナマコがあまり大きくならないことに加え、隙間に入り込んでいる稚ナマコがなかなか外に出ないという問題がある。さらにまた、竹笹や柴を使った天然採苗の場合、竹や柴を毎年交換しなければならないという問題がある。
【００１０】
一方、特許文献２に記載されているナマコ養殖施設の場合、陸上から海底の養殖現場まで敷設した一対のレール上を移動する台車上にナマコ養殖施設を固定し、給餌時ないし漁獲時に、ウィンチで台車を養殖現場から陸上まで引き上げなければならない。そのため、養殖現場から陸上まで台車を引き上げるための電力コストに加えて、レールを敷設するための設備コストが厖大になるという問題がある。
【００１１】
ナマコの雌は１回の産卵で数十万から数百万尾の幼生を生み出すため、漁場付近には数多くの幼生が浮遊しているはずであるが、その殆どが稚ナマコになれずに無効分散して死んでいる。本発明はかかる事情に鑑みてなされたもので、海中を浮遊しているナマコの幼生が着生しやすく、且つ幼生から成長した稚ナマコの安全な棲息場となると共に、耐久性と強度に優れメンテナンスが容易なナマコ増殖礁を提供することを目的とする。
【課題を解決するための手段】
【００１２】
上記目的を達成するため、本発明は、海中を浮遊しているナマコの幼生を捕捉して育成するナマコ増殖礁であって、
有底筒状体からなり、内部空間に石が積み付けられた下部構造体と、
柱及び梁から構成される骨組構造からなり、前記下部構造体上に配置された上部構造体と、
前記下部構造体の周壁並びに前記上部構造体の側面及び天面に設けられた開口をそれぞれ覆うグレーチングとを備え、
前記上部構造体の側面に取り付けられた前記グレーチングが、海中を浮遊しているナマコの幼生を捕捉する幼生捕捉部とされ、前記石が積み付けられた前記下部構造体が、幼生から稚ナマコに成長した前記ナマコを育成する稚ナマコ育成部とされていることを特徴としている。
【００１３】
本明細書では、孵化後２週ないし３週までのナマコを「ナマコの幼生」、幼生から成長して体長が１ｍｍ〜２０ｍｍ程度になったナマコを「稚ナマコ」と呼ぶ。また、体長が３０ｍｍ前後のナマコを「幼ナマコ」と呼ぶことがある。
【００１４】
本発明に係るナマコ増殖礁は浅場に設置され、海中を浮遊しているナマコの幼生を、上部構造体の側面に取り付けられたグレーチングで捕捉する。グレーチングの枡目に着生（着底）したナマコの幼生は、枡目の中で成長して稚ナマコとなる。稚ナマコとなったナマコは、石が積み付けられた下部構造体の内部空間に移動して、石と石の間の隙間でさらに成長して幼ナマコとなり、下部構造体の周壁に設けられた開口から沖合の漁場に移動する。
【００１５】
また、本発明に係るナマコ増殖礁では、前記グレーチングを構成する枡目の開口幅が２０ｍｍ以上１００ｍｍ以下とされ、前記枡目の奥行長さが２５ｍｍ以上１００ｍｍ以下とされていることを好適とする。
【００１６】
前記グレーチングの枡目の開口幅（内法幅）が２０ｍｍ未満の場合、グレーチングに付着する藻類やデトリタス（生物の排出物や死骸などの微細な有機物粒子）などによって目詰まりするおそれがあり、１００ｍｍ超の場合、開口が大きすぎるためナマコの幼生が着生しづらくなると共に外敵が侵入しやすくなる。
一方、前記グレーチングの奥行長さが２５ｍｍ未満の場合、着生スペースが狭すぎてナマコの幼生が着生しづらくなり、１００ｍｍ超の場合、グレーチングの製造や取り付けに手間が掛かる。
【００１７】
また、本発明に係るナマコ増殖礁では、前記グレーチングはＦＲＰ製とされていてもよい。グレーチングをＦＲＰ製とすることにより、軽量で耐久性と強度に優れたグレーチングとすることができる。
【発明の効果】
【００１８】
本発明に係るナマコ増殖礁は、海中を浮遊しているナマコの幼生が着生しやすいグレーチングからなる幼生捕捉部と、幼生から成長した稚ナマコの安全な棲息場となる稚ナマコ育成部を備えているので、従来に比べて効率的にナマコ資源の回復を図ることができる。また、ナマコ増殖礁が、有底筒状体からなる下部構造体と、骨組構造からなる上部構造体とを備えているので、優れた耐久性と強度が確保され、メンテナンスも容易である。
【図面の簡単な説明】
【００１９】
【図１】本発明の一実施の形態に係るナマコ増殖礁の斜視図である。
【図２】同ナマコ増殖礁の分解斜視図である。
【図３】グレーチングの部分拡大斜視図である。
【発明を実施するための形態】
【００２０】
続いて、添付した図面を参照しつつ、本発明を具体化した実施の形態に付き説明し、本発明の理解に供する。
【００２１】
本発明の一実施の形態に係るナマコ増殖礁１０は、海中を浮遊しているナマコの幼生を捕捉する幼生捕捉部を備える上部構造体１１と、幼生から稚ナマコに成長したナマコを育成する稚ナマコ育成部となる下部構造体１４とから概略構成されている（図１及び図２参照）。上部構造体１１の下端部と下部構造体１４の上端部は接合されており、上部構造体１１と下部構造体１４は一体物として海中に沈設される。
【００２２】
上部構造体１１は、柱１２と梁１３により六角柱状に構成された鉄筋コンクリート製の骨組構造からなり、上部構造体１１の各側面及び天面に設けられた開口２１、２２はグレーチング１８、１９で覆われている。上部構造体１１の各側面に取り付けられたグレーチング１８は、海中を浮遊しているナマコの幼生を捕捉する幼生捕捉部となる。また、上部構造体１１の天面に取り付けられたグレーチング１９は、藻類が着生することでナマコ増殖礁１０内への直射日光の入射を防止する遮光部として機能する。
【００２３】
下部構造体１４は、平面視して正六角形状の平底１６とその周縁部に形成された周壁１５とから構成される鉄筋コンクリート製の有底筒状体からなり、その内部空間には、人頭大程度の大きさを有する複数の石Ｓが積み付けられている。また、六角柱状とされた周壁１５の各側面には開口２０が形成され、各開口２０はグレーチング１７で覆われている。稚ナマコは下部構造体１４の内部空間で幼ナマコに成長し、周壁１５に設けられた開口２０に取り付けられたグレーチング１７を介して漁場に移動する。
なお、下部構造体１４の内部空間に積み付ける石Ｓは、ナマコ増殖礁１０を設置する地域に存在する石であれば良く、材質や形状等特に限定するものではない。
【００２４】
グレーチング１７、１８、１９はＦＲＰ（繊維強化プラスチック）製とされ、複数の帯板材２６、２７を格子状に組み合わせた枠体とされている（図３参照）。グレーチング１７、１８、１９の枡目２５の開口幅（内法幅）Ｗは２０ｍｍ以上１００ｍｍ以下とされ、枡目２５の奥行長さＨは２５ｍｍ以上１００ｍｍ以下とされている。なお、帯板材２６、２７の板厚は３ｍｍ以上１０ｍｍ以下である。
【００２５】
ナマコは浅場で産卵するため、浅場の海中には数多くのナマコの幼生が浮遊している。幼生から稚ナマコに成長した稚ナマコは浅場の岩礁帯や転石帯に棲息し、幼ナマコに成長すると、低水温期に徐々に漁場に移動すると考えられている。そのため、幼ナマコを効率的に漁場へ移動させるには、ナマコの幼生が着生（着底）し、稚ナマコから幼ナマコに成長する環境を創出する必要がある。また、マナマコは１歳を過ぎると、高水温期に夏眠するといわれており、夏眠時の隠れ家となる場所を用意しておく必要もある。
【００２６】
ナマコ増殖礁１０は、上記ナマコの生活史に基づいた構成とされている。即ち、上部構造体１１の側面に取り付けられたグレーチング１８が、海中を浮遊しているナマコの幼生を捕捉する幼生捕捉部となり、内部空間に石Ｓが積み付けられた下部構造体１４が、幼生から稚ナマコに成長したナマコを育成する稚ナマコ育成部となる。また、下部構造体１４は、稚ナマコが夏眠する隠れ家の機能も有している。
【００２７】
ナマコ増殖礁１０を海底に設置する際は、水深５ｍ程度の浅場に設置する。これにより、海中を浮遊している多数のナマコの幼生が、上部構造体１１の側面に取り付けられたグレーチング１８の枡目２５に着生する。また、上部構造体１１の側面及び天面に取り付けられたグレーチング１８、１９の枡目２５には、ナマコの餌となる藻類やデトリタスが着生する。
ナマコの幼生は、グレーチング１８の枡目２５の中で成長して稚ナマコとなり、石Ｓが積み付けられた下部構造体１４の内部空間に移動する。稚ナマコは、石Ｓと石Ｓの間の隙間でさらに成長して幼ナマコとなり、下部構造体１４の周壁１５に設けられた開口２０から沖合の漁場に移動する。
【００２８】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、ナマコ増殖礁の平面形状を六角形としているが、四角形や五角形等の他の多角形でも良いことは言うまでもない。また、上記実施の形態では、グレーチングの枡目を格子状としているが、ハニカム状など他の形状でも良い。
【符号の説明】
【００２９】
１０：ナマコ増殖礁、１１：上部構造体、１２：柱、１３：梁、１４：下部構造体、１５：周壁、１６：平底、１７、１８、１９：グレーチング、２０、２１、２２：開口、２５：枡目、２６、２７：帯板材、Ｓ：石、Ｗ：開口幅、Ｈ：奥行長さ
【図１】
2014036624.tif 000003
【図２】
2014036624.tif 000004
【図３】
2014036624.tif 000005